(57)【要約】【課題】  閉状態における文字入力の操作性を向上させることができると共に、連結された２つの筐体の回動動作を文字入力の操作として利用することができる重ね型携帯端末装置を提供することを課題とする。【解決手段】  第１筐体２４又は第２筐体２８の少なくともいずれかに設けられ、閉状態でも操作が可能な副操作部４８と、第１筐体と第２筐体の互いの相対角度に対応する信号を出力する角度検出部５８と、第１筐体が閉状態又はその近傍にある状態で表示部２２に五十音、英字又は数字のいずれかについての文字一覧表６６を表示させると共に、第１筐体を閉状態の近傍で回動する操作が行なわれた場合に、角度検出部からの信号に基づいて、入力する文字として文字一覧表中から選択される文字を切換え、選択された文字が副操作部の操作により確定されるように制御する制御部６０とを備えるようにした。【選択図】      図７
2005167336.tif 000002
【特許請求の範囲】
【請求項１】
表示部を有する第１筐体と、主操作部を有する第２筐体と、第２筐体の主操作部が配置される主操作面に垂直な軸線を中心として前記第１筐体と第２筐体を相互に回動可能に連結する連結部とを備え、
前記第１筐体が前記主操作面を覆うように前記第２筐体上に重ねられた閉状態、又は第１筐体を前記閉状態から所定角度まで回動させた開状態のいずれの状態でも前記表示部の表示面が外側に露出する重ね型携帯端末装置であって、
前記第１筐体又は前記第２筐体の少なくともいずれかに設けられ、前記閉状態であっても操作が可能な副操作部と、
前記第１筐体と前記第２筐体の互いの相対角度に対応する信号を出力する角度検出部と、
前記第１筐体が前記閉状態又はその近傍にある状態で前記表示部に五十音、英字又は数字のいずれかについての文字一覧表を表示させると共に、第１筐体を閉状態の近傍で回動する操作が行なわれた場合に、前記角度検出部からの信号に基づいて、入力する文字として文字一覧表中から選択される文字を切換え、選択された文字が前記副操作部の操作により確定されるように制御する制御部と
を備えたことを特徴とする重ね型携帯端末装置。
【請求項２】
前記文字一覧表を前記表示部の第１の領域に表示させ、入力した文字を前記表示部の第２の領域に表示させ、この第２の領域に表示されて文字変換の操作対象の文字に対応する変換候補の文字及び／又は入力した文字について表示状態を変化させる指示項目を第３の領域に表示させると共に、いずれかの領域を選択して文字列を作成するようにした請求項１に記載の重ね型携帯端末装置。
【請求項３】
前記第１筐体は、前記開状態から１８０°を超えて回動可能となるようにした請求項１又は請求項２に記載の重ね型携帯端末装置。
【請求項４】
前記制御部は、前記角度検出部からの信号により前記第１筐体が閉状態から時計回り又は反時計回りのいずれの回転方向に回動したかを判別して、文字一覧表中から選択される文字を他の文字に切換える順番を変更するようにした請求項３に記載の重ね型携帯端末装置。
【請求項５】
前記表示部の第４の領域に前記副操作部の操作又は／及び第１筐体の回動の操作に対応する処理動作の案内が表示されるようにした請求項１ないし請求項４のいずれか一に記載の重ね型携帯端末装置。
【請求項６】
前記文字一覧表は、複数の文字を縦横に配列した構成を有すると共に、前記副操作部は、前記文字一覧表中の文字を順次切換える第１の操作と、選択された文字の確定指示を行なう第２の操作とを有し、前記制御部は、選択される文字を前記角度検出部からの信号に基づいて前記文字一覧表の縦方向又は横方向に並ぶ他の文字に切換え、前記副操作部からの第１の操作の信号に基づいて前記文字一覧表の横方向又は縦方向に並ぶ他の文字に切換えるように制御すると共に、前記副操作部からの第２の操作の信号に基づいて選択した文字を入力する文字として確定するように制御するようにした請求項１ないし請求項６のいずれか一に記載の重ね型携帯端末装置。
【請求項７】
前記第１の領域と第３の領域が隣り合って構成され、前記角度検出部からの信号あるいは前記第１の操作により、領域の選択を行なうことを特徴とする請求項６に記載の重ね型携帯端末装置。
【発明の詳細な説明】
【技術分野】
【０００１】
本発明は、２つの筐体をその一方に備えられた表示部を外側に露出させたままで重ね合わせることができると共に、２つの筐体を重ね合わせた状態のままで文字を入力することができる重ね型携帯端末装置に関するものである。
【背景技術】
【０００２】
従来において、携帯電話機のように、ＬＣＤ（液晶ディスプレイ）等の表示部及び操作部を備えることにより、この表示部に文字を表示させることができるような携帯端末装置があった（例えば、特許文献１参照）。
【０００３】
前記特許文献１に記載されているような携帯端末装置は、図示しないが、その操作部に「１」から「９」及び「０」の数字を入力するためのテンキーを有しており、このテンキーのそれぞれのキーには、このような数字以外にも複数の仮名文字やアルファベット等の文字が割当てられている。
【０００４】
そして、ユーザーは、それぞれのキーに割当てられている複数の文字の順位に対応して、そのキーを所定の回数だけ押し込むことにより、表示部に表示させようとする文字を入力することができるようになっている。
【０００５】
また、近時において携帯端末装置は、その機能や用途に対応して種類や構造が多様化しているために、前記特許文献１のようにテンキーを用いて文字を入力する方法とは別に、テンキーを用いない文字の入力方法も考え出されている。例えば、図１１に示すように、テンキーを用いずに文字を入力することができるようにしたＰＤＡ（Ｐｅｒｓｏｎａｌ  Ｄｉｇｉｔａｌ  Ａｓｓｉｓｔａｎｔ）２がある。
【０００６】
このＰＤＡ２は、テンキーを備えておらず、文字等を表示するための表示部４、並びに文字入力の操作に用いるジョグダイヤル６、モードキー８及びメニューキー１０を備えている。ジョグダイヤル６は、図中矢印ａのように回転させることにより、表示部４に表示される不図示のメニューの中からいずれかの項目を選択するような操作と、図中矢印ｂのように押し込むことにより、選択したその項目に確定するような操作の両方を行なうことができるようになっている。
【０００７】
このＰＤＡ２の表示部４に文字を入力する場合には、最初にメニューキー１０を押し込んで表示部４に不図示のメニューを表示させた後に、ジョグダイヤル６の操作により、この不図示のメニューの中にある文字入力の項目を選択及び確定して、図１２に示すような文字入力画面１２を、表示部４に表示させるようになっている。
【０００８】
文字入力画面１２は、編集用枠１２ａ、キー入力用枠１２ｂ及び変換候補枠１２ｃで構成されており、これらの中のいずれか１つが操作の対象として、太線の枠で表示されるようになっている。この太線の枠で表示される操作の対象を変更したいような場合には、モードキー８を押し込む操作を行なうことにより、編集用枠１２ａ、キー入力用枠１２ｂ及び変換候補枠１２ｃの相互間で、他のいずれかに順番に切換えることができるようになっている。
【０００９】
そして、ユーザーは、キー入力用枠１２ｂを操作対象にした後に、ジョグダイヤル６の操作により、このキー入力用枠１２ｂの中の五十音の一覧表の中から入力しようとする文字を選択及び確定して、その文字を編集用枠１２ａに表示させるようになっている。このような文字の選択及び確定は、五十音の一覧表の中から入力しようとする文字が属する行を選択及び確定する作業と、この行の中から入力しようとする文字を選択及び確定する作業の２段階に分けて行なわれる。
【００１０】
また、このような操作により入力した文字に対応して変換候補枠１２ｃに漢字変換された文字が表示された場合には、モードキー８の操作により変換候補枠１２ｃに操作の対象を変更した後に、この変換候補枠１２ｃ内に表示される複数の文字の中から、適切に変換されている文字をジョグダイヤル６の操作により選択及び確定して、この文字を編集用枠１２ａに表示させるようになっている。このような操作を行なうことができるようにすることにより、ＰＤＡ２はテンキーを用いないで文字を入力することができるようになっている。
【００１１】
一方、前記ＰＤＡ２とは異なる携帯端末装置として、図１３に示すような重ね型携帯電話機２０がある。この重ね型携帯電話機２０は、表示部２２を有する第１筐体２４と、主操作部２６を有する第２筐体２８を備えており、この第１筐体２４と第２筐体２８が、第２筐体２８の主操作部２６が配置される主操作面３０に垂直な軸線を中心として、連結部３２により相互に回動自在に連結されている。
【００１２】
この重ね型携帯電話機２０は、図１３に示すような第１筐体２４と第２筐体２８を略１８０°開いた開状態においては、主操作部２６のテンキー２６ａ等の操作により文字を入力することができるようになっている。
【００１３】
また、図示しないが、この重ね型携帯電話機２０は、開状態から第１筐体２４を時計回りに回動させて、この第１筐体２４が主操作部２６を覆うように第２筐体２８上に重ねた閉状態にすることができる。この閉状態においては、表示部２２の表示面２２ａを外側に露出させておくことができるが、主操作部２６のテンキー２６ａを操作して文字を入力することができなくなってしまう。
【００１４】
そのため、図１１に示すような前記ＰＤＡ２のジョグダイヤル６、モードキー８及びメニューキー１０に相当するような副操作部を、図１３に示す重ね型携帯電話機２０に設ければ、閉状態でも文字を入力することができるようになる。
【特許文献１】特開２００２−３６６２８８号公報
【発明の開示】
【発明が解決しようとする課題】
【００１５】
しかしながら、このような重ね型携帯電話機２０に、前記ＰＤＡ２のジョグダイヤル６、モードキー８及びメニューキー１０に相当するような副操作部を設けたとしても、閉状態において文字を入力する際にはジョグダイヤル６の使用頻度が極端に多くなるために、このジョグダイヤル６の操作手順が煩雑になり、ユーザーが混乱するおそれがあるという問題があった。
【００１６】
また、重ね型携帯電話機２０は、第１筐体２４と第２筐体２８が回動するようになっているが、この回動動作が何等かの操作として有効利用されていないという問題があった。
【００１７】
そこで本発明は、上記問題点に鑑みて、閉状態における文字入力の操作性を向上させることができると共に、連結された２つの筐体の回動動作を文字入力の操作として利用することができる重ね型携帯端末装置を提供することを課題とするものである。
【課題を解決するための手段】
【００１８】
上記課題を解決するために本発明は、
表示部を有する第１筐体と、主操作部を有する第２筐体と、第２筐体の主操作部が配置される主操作面に垂直な軸線を中心として前記第１筐体と第２筐体を相互に回動可能に連結する連結部とを備え、
前記第１筐体が前記主操作面を覆うように前記第２筐体上に重ねられた閉状態、又は第１筐体を前記閉状態から所定角度まで回動させた開状態のいずれの状態でも前記表示部の表示面が外側に露出する重ね型携帯端末装置であって、
前記第１筐体又は前記第２筐体の少なくともいずれかに設けられ、前記閉状態であっても操作が可能な副操作部と、
前記第１筐体と前記第２筐体の互いの相対角度に対応する信号を出力する角度検出部と、
前記第１筐体が前記閉状態又はその近傍にある状態で前記表示部に五十音、英字又は数字のいずれかについての文字一覧表を表示させると共に、第１筐体を閉状態の近傍で回動する操作が行なわれた場合に、前記角度検出部からの信号に基づいて、入力する文字として文字一覧表中から選択される文字を切換え、選択された文字が前記副操作部の操作により確定されるように制御する制御部とを備えたことを特徴とするものである。
【００１９】
また、本発明による重ね型携帯端末装置は、前記文字一覧表を前記表示部の第１の領域に表示させ、入力した文字を前記表示部の第２の領域に表示させ、この第２の領域に表示されて文字変換の操作対象の文字に対応する変換候補の文字及び／又は入力した文字について表示状態を変化させる指示項目を第３の領域に表示させると共に、いずれかの領域を選択して文字列を作成するようにしたことを特徴とするものである。
【００２０】
また、本発明による重ね型携帯端末装置は、前記第１筐体は、前記開状態から１８０°を超えて回動可能となるようにしたことを特徴とするものである。
【００２１】
また、本発明による重ね型携帯端末装置は、前記制御部は、前記角度検出部からの信号により前記第１筐体が閉状態から時計回り又は反時計回りのいずれの回転方向に回動したかを判別して、文字一覧表中から選択される文字を他の文字に切換える順番を変更するようにしたことを特徴とするものである。
【００２２】
また、本発明による重ね型携帯端末装置は、前記表示部の第４の領域に前記副操作部の操作又は／及び第１筐体の回動の操作に対応する処理動作の案内が表示されるようにしたことを特徴とするものである。
【００２３】
また、本発明による重ね型携帯端末装置は、前記文字一覧表は、複数の文字を縦横に配列した構成を有すると共に、前記副操作部は、前記文字一覧表中の文字を順次切換える第１の操作と、選択された文字の確定指示を行なう第２の操作とを有し、前記制御部は、選択される文字を前記角度検出部からの信号に基づいて前記文字一覧表の縦方向又は横方向に並ぶ他の文字に切換え、前記副操作部からの第１の操作の信号に基づいて前記文字一覧表の横方向又は縦方向に並ぶ他の文字に切換えるように制御すると共に、前記副操作部からの第２の操作の信号に基づいて選択した文字を入力する文字として確定するように制御するようにしたことを特徴とするものである。
【００２４】
また、本発明による重ね型携帯端末装置は、前記第１の領域と第３の領域が隣り合って構成され、前記角度検出部からの信号あるいは前記第１の操作により、領域の選択を行なうようにしたことを特徴とするものである。
【発明の効果】
【００２５】
このような本発明の重ね型携帯端末装置によれば、閉状態における文字入力の操作性を向上させることができると共に、連結された２つの筐体の回動動作を文字入力の操作として利用することができる。
【発明を実施するための最良の形態】
【００２６】
以下、本発明に係る重ね型携帯端末装置の実施の形態について、図面に基づいて具体的に説明する。
【００２７】
図１ないし図１０は、本発明の一実施の形態に係る重ね型携帯電話機４０（重ね型携帯端末装置に相当）について説明するために参照する図である。これらの図に示す重ね型携帯電話機４０は、従来の重ね型携帯電話機２０と同様の部分には同じ符号を付して説明し、従来と同様の構成についての重複する説明は省略するものとする。
【００２８】
本実施の形態に係る重ね型携帯電話機４０は、従来の重ね型携帯電話機２０と同様に、図１に示すような開状態から、第１筐体２４を矢印ｃのように時計回りに１８０°回動させて、図２に示すような閉状態にすることができる。
【００２９】
図３に示すように、この第１筐体２４は、回動するときの半径方向に平行であって、表示面２２ａを有する面と互いに隣り合う側面４２に、サイドキー４４を備えている。また、第２筐体２８には、閉状態にしたときの第１筐体２４の半径方向に平行であって、主操作面３０と互いに隣り合う側面４６にシャトルキー４８を備えている。
【００３０】
したがって、重ね型携帯電話機４０は、図１に示すような開状態にした場合には、従来の重ね型携帯端末装置２０と同様に、主操作部２６を操作することができるようになっており、図２に示すような閉状態にした場合には、サイドキー４４とシャトルキー４８を副操作部として操作することができるようになっている。
【００３１】
サイドキー４４は、側面４２に対して垂直の方向に押し込む操作を行なうことができるようになっている（図２中の矢印ｄ）。そして、シャトルキー４８は、側面４６の長さ方向に動かすことにより、この方向と平行方向への移動を指示する第１の操作（図２中の矢印ｅ）と、この側面４６に対して垂直の方向に押し込んで確定を指示する第２の操作（図２中の矢印ｆ）を行なうことができるようになっている。
【００３２】
後述するように、特に、表示部２２に文字入力画面６２の文字一覧表６６及び指示項目６８が表示されている時には、シャトルキー４８の第１の操作により、選択される文字又は項目が、この文字入力画面６２の縦方向に移動して切換わるようになっている。また、第２の操作により、文字一覧表６６及び指示項目６８中の選択された文字又は項目に対して確定の指示を行なえるようになっている。
【００３３】
このように、シャトルキー４８は、第１の操作及び第２の操作を行なうことができるようになっているので、後述するように、表示部２２に複数の項目で構成されるメニューが表示された場合に、このメニューの中からいずれかの項目を第１の操作により選択することができる。また、第２の操作により、第１の操作で選択した項目に確定することができる。
【００３４】
また、重ね型携帯電話機４０は、開状態から第１筐体２４を時計回りに回動させて（図１中、矢印ｃ）、閉状態にすることができると共に、この開状態から閉状態までの角度の範囲に対し、図４（ａ）に示すように、閉状態の角度を挟んで互いに隣り合う一定角度の範囲で回動することができるようになっている。すなわち、第１筐体２４は、図１に示すような開状態から時計回りに１８０°を超えて回動させることができるようになっている。
【００３５】
次に、図５は、重ね型携帯電話機４０の回路構成を示すブロック図である。重ね型携帯電話機４０は、既に説明した表示部２２、主操作部２６、サイドキー４４及びシャトルキー４８の他に、アンテナを有する無線部５０、記憶部５２、スピーカー５４、マイクロホン５６、角度検出部５８、及びこれらを制御する制御部６０を備えている。無線部５０、記憶部５２、スピーカー５４及びマイクロホン５６は、一般的な携帯電話機と同様に動作するものであるため、その説明については省略する。
【００３６】
角度検出部５８は、図１ないし図４において図示されていないが、第１筐体２４が回動して閉状態又は開状態になったときに、これを検出して、その信号を制御部６０に出力するようになっている。
【００３７】
また、閉状態であるときに、第１筐体２４が時計回り又は反時計回りのいずれかの方向に回動して閉状態から外れると、角度検出部５８は、第１筐体２４がいずれの方向に回動したかを直ちに検出して、その旨の信号を制御部６０に出力するようになっている。このような角度検出部５８としては、電気的な導通接点、機械的スイッチ、又は磁気センサーや光学センサー等を用いることができる。
【００３８】
したがって、図４（ｂ）に示すような閉状態から、第１筐体２４を時計回り又は反時計回りのいずれかの方向に回動させる操作が行なわれることにより、図４（ａ）又は（ｃ）に示すように、閉状態を外れた状態になると、制御部６０は、角度検出部５８の検出動作に基づいて、第１筐体がいずれの回転方向に回動したかを判別することができるようになっている。
【００３９】
次に、図５中の制御部６０は、第１筐体２４を回動させる操作、並びにサイドキー４４及びシャトルキー４８の操作に対応して、図６ないし図１０に示すように、入力した文字を表示部２２に表示させたり、表示中の文字を変換させたりするようになっている。この制御部６０の制御動作を、ユーザーの操作及び表示部２２に表示される文字等と対応させて、以下に説明する。
【００４０】
閉状態では、表示部２２に表示される文字等は、その上下方向（縦方向）が第１筐体２４の回動の半径方向と同じ方向となるように表示される。ユーザーが文字入力機能を起動させると、図６（ａ）に示すように、表示部２２には入力メニュー７２が表示される。入力メニュー７２は、「実行」、「改行」及び「終了」の項目で構成されている。
【００４１】
ここで、シャトルキー４８の第１の操作及び第２の操作により、「実行」の項目について選択及び確定を行なうと、以後の操作により文字入力を行なうことができるようになる。また、「改行」の項目について選択及び確定を行なうと、そのときのカーソルの表示されている位置で、改行させることができるようになっており、「終了」の項目について選択及び確定を行なうと、文字入力機能を終了させることができるようになっている。
【００４２】
文字入力を行なうために、この入力メニュー７２の中から「実行」の項目を選択及び確定した場合には、図６（ｂ）に示すように、制御部６０の命令により、表示部２２に文字入力画面６２が表示されるようになっている。
【００４３】
この文字入力画面６２を、図７に基づいて説明する。文字入力画面６２は、第１ないし第４の領域６２ａ，６２ｂ，６２ｃ，６２ｄを有しており、第１の領域６２ａには、五十音、英字又は数字等のいずれかについて、複数の文字を縦横に配列した文字一覧表６６が表示されるようになっている。
【００４４】
また、第２の領域６２ｂには、ユーザーが入力した文字が表示されるようになっている。第３の領域６２ｃは上部と下部に分かれていて、この第３の領域６２ｃの下部は第１の領域６２ａと互いに左右方向に隣り合っている。第３の領域６２ｃ上部は、第１の領域６２ａ及び第３の領域６２ｃの下部の両方の上側に配置されている。
【００４５】
そして、第３の領域６２ｃの上部には、第２の領域６２ｂに表示されている文字の中で、文字変換の対象になっているものに対応して、その変換候補の文字が表示されるようになっている。例えば、第２の領域６２ｂに「き」と入力されると、これに対応する変換候補の文字として「昨日」と表示される。
【００４６】
第３の領域６２ｃの下部には、入力した文字について表示状態を変化させる指示項目６８が表示されるようになっており、このような指示項目として、「変換」、「小文字  ゛゜」、「文字種」及び「サブメニュー」の４つの項目が表示されるようになっている。
【００４７】
そして、第４の領域６２ｄには、第１筐体２４を回動させる操作、及びサイドキー４４、シャトルキー４８のそれぞれの操作に対応して行なわれる処理動作の案内が表示されるようになっている。
【００４８】
第１の領域６２ａの文字一覧表６６、第３の領域６２ｃの上部の変換候補の文字、及び第３の領域６２ｃの下部の指示項目６８の中に表示されている、いずれかの文字又はいずれかの項目は、四角い枠のターゲット７０で囲まれるようになっており、このターゲット７０で囲まれている文字又は項目が選択されているものであることを、ユーザーに認識させるようになっている。
【００４９】
ターゲット７０は、閉状態の近傍で第１筐体２４を時計回り又は反時計回りのいずれかの方向に回動させる操作に対応して、文字一覧表６６及び指示項目６８の中を左右方向（横方向）に移動するようになっており、シャトルキー４８の第１の操作により上下方向（縦方向）に移動するようになっている。
【００５０】
すなわち、第１筐体２４を回動する操作、及びシャトルキー４８の第１の操作により、選択される文字又は項目が切換わるようになっている。また、制御部６０は、第１筐体２４の回動方向を判別し、この回動方向に基づいてターゲット７０の移動方向を変えるので、選択される文字又は項目の切換わる順番が逆向きに変更されるようになっている。
【００５１】
また、ターゲット７０が、文字一覧表６６の中の最上段に移動した後に、さらにターゲット７０を上側に移動する操作が行なわれた場合には、文字一覧表６６の全体の文字が１行ごとに下側に繰り下がるようにスクロールするようになっている。
【００５２】
逆に、ターゲット７０が、文字一覧表６６の中の最下段に移動した後に、さらにターゲット７０を下側に移動する操作が行なわれた場合には、文字一覧表６６の全体の文字が１行ごとに上側に繰り上がるようにスクロールするようになっている。
【００５３】
また、ターゲット７０が、文字一覧表６６の中における右側の方から最も左側の文字に移動した後に、さらにターゲット７０を左側に移動する操作が行なわれた場合には、ターゲット７０は、このときの上下方向の位置が同じになるように、指示項目６８におけるいずれかの項目の位置に移動するようになっている。
【００５４】
また、ターゲット７０が、文字一覧表６６の中における最も右側にある文字の位置から、その右側に配置される指示項目６８のいずれかの項目に移動した後に、さらにターゲット７０を右側に移動する操作が行なわれた場合には、ターゲット７０は、このときの上下方向の位置が同じになるように、文字一覧表６６の中における最も左側のいずれかの文字に移動するようになっている。
【００５５】
また、ターゲット７０が、指示項目６８における「変換」の項目の位置にある場合に、このターゲット７０を上側に移動させる操作が行なわれると、第３の領域６２ｃの上部に表示される変換候補の文字の位置に移動するようになっている。
【００５６】
そして、ターゲット７０を移動させて、第１の領域６２ａの文字一覧表６６、第３の領域６２ｃの変換候補の文字又は指示項目６８の中からいずれかの文字又は項目について選択及び確定の操作を行なうと、その文字又は項目に確定することができるようになっている。
【００５７】
ユーザーの操作に対応する制御部６０の動作により、図６（ｂ）に示すように、表示部２２に文字入力画面６２が表示された後は、この文字入力画面６２の第２の領域６２ｂに対して入力した文字を表示することができる。例えば、この第２の領域６２ｂに「こんにちは」と文字入力する場合について説明する。
【００５８】
第１筐体２４の回動の操作、及びシャトルキー４８の第１及び第２の操作により、文字一覧表６６の中の「こ」、「ん」、「に」、「ち」及び「は」のそれぞれの文字について選択及び確定が順番に行なわれると、制御部６０は、図６（ｃ）に示すように、第２の領域６２ｂに、「こんにちは」の文字を出力させるようになっている。
【００５９】
ここで、制御部６０は、第２の領域６２ｂに表示する「こんにちは」の文字を四角い枠で囲んで表示させるようになっており、この文字が文字変換の操作対象になっていることを、ユーザーに認識させるようになっている。
【００６０】
また、今回の文字入力の操作を行なう以前において、ユーザーにより「こんにちは」の文字入力と共に文字変換の操作が行なわれたことがある場合には、制御部６０は、この文字に対応して文字変換された変換後の文字の中から使用頻度が最も高かった所定の文字が、今回においても文字変換されて使用される文字であると予測して、この所定の文字を第３の領域６２ｃの上部に変換候補として表示させるようになっている。
【００６１】
後述するように、ユーザーは、第２の領域６２ｂに表示される文字を、この第３の領域６２ｃに表示される変換候補の文字に変換する「予測変換」の操作を行なうことができるが、ここでは、このような第３の領域６２ｃの上部に表示される変換候補の文字に変換する「予測変換」ではなく、読み仮名に対応して変換する「漢字変換」の操作が行なわれる場合について説明する。
【００６２】
図６（ｄ）に示すように、ユーザーが、ターゲット７０を移動させて指示項目６８の「変換」の項目を選択した後に、この「変換」の項目に確定する操作を行なうと、図６（ｅ）に示すように、制御部６０は、表示部２２の文字入力画面６２から、第１の領域６２ａ及び第３の領域６２ｃに表示していた文字一覧表６６、変換候補の文字、及び指示項目６８を消去させると共に、この文字入力画面６２に重ねて変換メニュー７４を表示させるようになっている。
【００６３】
変換メニュー７４は、「漢字変換」及び「予測変換」の項目を備えている。ユーザーが、「漢字変換」を選択及び確定した場合には、制御部６０は、第２の領域６２ｂに表示されている文字に対応して、図６（ｆ）に示すように、この文字を読み仮名とする漢字、又は平仮名や片仮名等を含む漢字変換リスト７６を、変換メニュー７４に代えて表示部２２に表示させるようになっている。
【００６４】
この漢字変換リスト７６から、ユーザーが「こんにちは」の文字を選択及び確定すると、図６（ｇ）に示すように、制御部６０は、漢字変換リスト７６を消去すると共に、「こんにちは」の文字を確定された文字として、第２の領域６２ｂに表示するようになっている。
【００６５】
そして、ユーザーが、さらに文字入力の操作を継続するために、シャトルキー４８の第２の操作を行なった場合には、制御部６０は、図６（ｈ）に示すように、第２の領域６２ｂに表示されている「こんにちは」に続けて文字入力を行なうことができるように、入力メニュー７２を表示させるようになっている。
【００６６】
次に、図８（ａ）、図９（ａ）及び図１０（ａ）に示すように、例えば、第２の領域６２ｂに「きょう」と入力した後に、この「きょう」の文字の変換について、「漢字変換」を選択した場合と「予測変換」を選択した場合のそれぞれについて説明する。
【００６７】
「漢字変換」を選択した場合について、図８（ａ）に基づいて説明する。第２の領域６２ｂに「きょう」と入力した後に、指示項目６８の「変換」の項目を選択及び確定すると、図８（ｂ）に示すように、表示部２２には変換メニュー７４が表示される。
【００６８】
ユーザーが「漢字変換」の項目を選択及び確定すると、図８（ｃ）に示すように、漢字変換リスト７６が表示され、この中から目的とする漢字、平仮名や片仮名等を選択及び確定することができる。この漢字変換リスト７６の中から「今日」を選択及び確定する操作を行なうと、図８（ｄ）に示すように、第２の領域６２ｂに表示されていた「きょう」の文字は、「今日」に変換される。
【００６９】
次に、「予測変換」により第３の領域６２ｃの上部に表示される変換候補を選択する場合について、図９に基づいて説明する。使用頻度が最も高い変換候補の文字が、第２の領域６２ｂに入力した文字に対応している場合には、この変換候補の文字は第３の領域６２ｃの上部に表示されるので、直ちに変換することができる。
【００７０】
すなわち、図９（ａ）に示すように、第２の領域６２ｂに「きょう」と入力した後に、図９（ｂ）に示すように、ターゲット７０を指示項目６８の「変換」の項目の位置まで移動させる。この「変換」の項目の位置からターゲット７０を上方向に移動させて、図９（ｃ）に示すように、変換候補である「京セラ」を選択した状態にすることができる。
【００７１】
そして、変換候補である「京セラ」を選択した状態のまま、確定の操作を行なうことにより、図９（ｄ）に示すように、第２の領域６２ｂに表示されていた「きょう」の文字を「京セラ」に変換させることができる。
【００７２】
また、第３の領域６２ｃの上部に表示される変換候補が、ユーザーの目的とするものでないような場合でも、「予測変換」による文字変換を行なうことができる。「漢字変換」による文字変換を行なったときと同様に、図１０（ｂ）に示すように、変換メニュー７４を表示させた後に、この中から「予測変換」を選択及び確定すると、図１０（ｃ）に示すように、予測変換リスト７８が表示されるようになっている。
【００７３】
ユーザーは、この予測変換リスト７８の中から目的とする漢字、平仮名又は片仮名等を選択及び確定することができる。予測変換リスト７８の中から「今日は、」を選択及び確定する操作を行なうと、図１０（ｄ）に示すように、第２の領域６２ｂに表示されていた「きょう」の文字は、「今日は、」に変換される。
【００７４】
このように、本実施の形態に係る重ね型携帯電話機４０によれば、閉状態における文字入力の操作性を向上させることができると共に、連結された第１筐体２４及び第２筐体２８の互いの回動動作を文字入力の操作として利用することができる。
【００７５】
なお、本実施の形態において、開状態は、第１筐体２４が閉状態から略１８０°だけ回動した角度の位置であったが、第１筐体２４が閉状態から１８０°以外の他の所定角度まで回動した角度の位置が開状態であってもよい。
【００７６】
また、本実施の形態におけるシャトルキー４８は副操作部としての一例であり、このシャトルキー４８に代えて、スライドスイッチ、シーソースイッチ、又は、別個の２つのキーで１組にされたもの等が、閉状態において第１筐体２４又は第２筐体２８のいずれかの面と平行な方向に、移動等の指示を行なうことができるように設けられていてもよい。
【００７７】
また、本実施の形態においては、表示部２２に表示される文字入力画面６２内のターゲット７０は、第１筐体２４を回動させたときに、この文字入力画面６２内を横方向に移動して、シャトルキー４８の第１の操作を行なったときに、縦方向に移動するようになっていたが、第１筐体を回動させたときに縦方向に移動し、シャトルキー４８の第１の操作を行なったときに横方向に移動するようになっていてもよい。
【００７８】
また、本実施の形態においては、シャトルキー４８は、第２筐体２８の側面４６に設けるようにしたが、サイドキー４４と共に、第１筐体２４の側面４２に設けるようにしてもよい。或いは、シャトルキー４８を、サイドキー４４と共に第２筐体２８の側面４６に設けるようにしてもよい。
【００７９】
また、本実施の形態においては、第３の領域６２ｃに変換候補及び指示項目６８の両方が表示されるようになっていたが、この第３の領域６２ｃには、変換候補だけが表示されて、指示項目６８が表示されないようになっていてもよい。また、変換候補を表示せずに指示項目６８だけが表示されるようになっていてもよい。
【００８０】
また、本実施の形態においては、重ね型携帯電話機４０に本発明を適用した場合について説明したが、重ね型携帯電話機４０以外の他の種類の重ね型携帯端末装置にも本発明を適用することができることはいうまでもない。
【図面の簡単な説明】
【００８１】
【図１】本発明の一実施の形態に係る重ね型携帯電話機４０の開状態を示す平面図である。
【図２】本発明の一実施の形態に係る重ね型携帯電話機４０の閉状態を示す平面図である。
【図３】図２に示す重ね型携帯電話機４０の側面図である。
【図４】図２に示す第１筐体２４を閉状態の近傍で回動させる操作を行なったときの状態を示す平面図である。
【図５】本発明の一実施の形態に係る重ね型携帯電話機４０の回路構成を示すブロック図である。
【図６】図２に示す表示部２２に表示される文字入力画面６２の表示内容の変化を示す図である。
【図７】図２に示す表示部２２に表示される文字入力画面６２を示す図である。
【図８】図２に示す表示部２２に表示される文字入力画面６２の表示内容の変化を示す図である。
【図９】図２に示す表示部２２に表示される文字入力画面６２の表示内容の変化を示す図である。
【図１０】図２に示す表示部２２に表示される文字入力画面６２の表示内容の変化を示す図である。
【図１１】従来のＰＤＡ２を示す平面図である。
【図１２】図１１に示す表示部４に表示される文字入力画面を示す図である。
【図１３】従来の重ね型携帯電話機２０を示す斜視図である。
【符号の説明】
【００８２】
２  ＰＤＡ
４  表示部
６  ジョグダイヤル
８  モードキー
１０  メニューキー
１２  文字入力画面
１２ａ  編集用枠
１２ｂ  キー入力用枠
１２ｃ  変換候補枠
２０  重ね型携帯電話機
２２  表示部
２２ａ  表示面
２４  第１筐体
２６  主操作部
２６ａ  テンキー
２８  第２筐体
３０  主操作面
３２  連結部
４０  重ね型携帯電話機
４２  側面
４４  サイドキー
４６  側面
４８  シャトルキー
５０  無線部
５２  記憶部
５４  スピーカー
５６  マイクロホン
５８  角度検出部
６０  制御部
６２  文字入力画面
６２ａ  第１の領域
６２ｂ  第２の領域
６２ｃ  第３の領域
６２ｄ  第４の領域
６６  文字一覧表
６８  指示項目
７０  ターゲット
７２  入力メニュー
７４  変換メニュー
７６  漢字変換リスト
７８  予測変換リスト
【図１】
2005167336.tif 000003
【図２】
2005167336.tif 000004
【図３】
2005167336.tif 000005
【図４】
2005167336.tif 000006
【図５】
2005167336.tif 000007
【図６】
2005167336.tif 000008
【図７】
2005167336.tif 000009
【図８】
2005167336.tif 000010
【図９】
2005167336.tif 000011
【図１０】
2005167336.tif 000012
【図１１】
2005167336.tif 000013
【図１２】
2005167336.tif 000014
【図１３】
2005167336.tif 000015